(57)【要約】【課題】  部品点数が少なく簡素な構造としてコストの低減を図るとともに、屋根の軒先への取付作業を容易にして作業時間を短縮化して作業性を高めることのできる軒樋を提供する。【解決手段】  本発明の軒樋１は、断面が等辺山型形状の長尺軒樋部材２を有し、この軒樋部材２の両端部には水滴ガイドロッド３が垂下添設され、軒樋部材２の後背面には、複数本の支持腕材４が均等間隔で、軒樋部材２に直交する方向に設けられことを特徴とする。【選択図】  図１
2006207319.tif 000002
【特許請求の範囲】
【請求項１】
断面が等辺山型形状の長尺軒樋部材を有し、この軒樋部材の両端部には水滴ガイドロッドが垂下添設され、軒樋部材の後背面には、複数本の支持腕材が軒樋部材に直交する方向に設けられたことを特徴とする軒樋。
【請求項２】
長尺軒樋部材に直交する方向に複数本の支持腕材が設けられた軒樋を屋根の軒先に配設する軒樋の施工方法であって、
複数本の支持腕材のうち、軒樋部材のほぼ中央に配設された支持腕材をまず始めに屋根支持材に取着し、軒樋部材の自重によるたわみを利用して軒樋部材の中央から端部方向に水勾配を設け、次に、前記取着した支持腕材に近い位置の支持腕材から順に、前記水勾配を維持した状態で屋根支持材に取着して、屋根の軒先に配設することを特徴とする軒樋の施工方法。
【発明の詳細な説明】
【技術分野】
【０００１】
本発明は、屋根の軒先に設けられる軒樋、および軒樋の施工方法に関する。
【背景技術】
【０００２】
従来の勾配屋根の軒先に設けられる軒樋には、金属製や合成樹脂製のものがあり、その形状は断面が半円状のものや溝形のものが広く一般に用いられている。例えば、特許文献１，２等に記載されているような軒樋がある。
【０００３】
この種の軒樋は、軒先側面に雨樋の外周面を支承する受金物が釘等により止着され、適当間隔をおいて付設した複数個の受金物に雨樋を嵌合させ、軒先に雨樋を架設するものである。また、特許文献２に記載された雨樋は、適宜の止着手段によって屋根の軒寄り上面に固定した支持体の先端部に吊杆を垂設し、この吊杆の基部を支点として、雨樋を支承する支承杆が垂下状態から立設状態に変えられるように屈曲自在に付設されている。また、前記支持体は、取付体に対して支持体の取付基部を支点として屋根に当接した状態から上方へ立設した状態に変わるように屈曲回動自在に構成されている。
【特許文献１】実開昭６１−６５１２５号公報
【特許文献２】特開平３−１３６４９号公報
【発明の開示】
【発明が解決しようとする課題】
【０００４】
上記のような雨樋は、雨樋の外周面下側を支承する受金物が必要であり、雨樋の施工には、この受金物の設置作業と、受金物に樋部材を嵌合固定する作業の２段階の作業を要し、施工手間がかかるとともに部材点数が多いのでコストがかさむ要因となっていた。
【０００５】
そこで本発明は、上記のような問題点にかんがみてなされたものであり、部品点数が少なく簡素な構造としてコストの低減を図るとともに、屋根の軒先への取付作業を容易にして作業時間を短縮化して作業性を高めることのできる軒樋を提供するものである。
【課題を解決するための手段】
【０００６】
上記した目的を達成するため、本発明に係る軒樋は、断面が等辺山型形状の長尺軒樋部材を有し、この軒樋部材の両端部には水滴ガイドロッドが垂下添設され、軒樋部材の後背面には、複数本の支持腕材が軒樋部材に直交する方向に設けられたことを特徴とする。
【０００７】
この構成によれば、雨水を排水する軒樋部材と、これを屋根に支持する支持腕材とが一体で設けられており、別途、軒樋部材の受金物を用意する必要がないので、部品点数が極めて少なくコストを低減させることができるとともに、屋根の軒先への取付作業も、作業工数が減り、容易に設置することができる。
【０００８】
また、本発明は、長尺軒樋部材に直交する方向に複数本の支持腕材が設けられた軒樋を屋根の軒先に配設する軒樋の施工方法であって、複数本の支持腕材のうち、軒樋部材のほぼ中央に配設された支持腕材をまず始めに屋根支持材に取着し、軒樋部材の自重によるたわみを利用して軒樋部材の中央から端部方向に水勾配を設け、次に、前記取着した支持腕材に近い位置の支持腕材から順に、前記水勾配を維持した状態で屋根支持材に取着して、屋根の軒先に配設することを特徴とする。
【０００９】
このような軒樋の施工方法により、軒樋部材にあらかじめ水勾配が設けられていなくても、軒樋の施工作業工程において軒樋部材に緩やかな水勾配を容易に形成することができ、施工作業性を高めるとともに、作業時間を短縮化することができる。
【発明の効果】
【００１０】
上述のように構成される本発明の軒樋によれば、雨水等を排水する軒樋部材と、軒先へ固定する支持腕材とが一体に形成された構成であるので、軒樋部材を受ける受金物などの別部材を必要とせず、簡易な構造としてコストの低減を図ることができ、また、屋根の軒先への取付作業も極めて容易に行うことができる。
【００１１】
また本発明の軒樋の施工方法によれば、軒樋部材にあらかじめ水勾配が設けられていなくても、軒樋の施工作業工程において軒樋部材に緩やかな水勾配を容易に形成することができ、軒樋の設置作業にかかる時間を短縮し、作業性を高めることができる。
【発明を実施するための最良の形態】
【００１２】
以下、本発明に係る軒樋の最良な実施の一例について、図面を参照しつつ説明する。図１〜図４は本発明の軒樋を示し、図１は軒樋の側面図、図２は軒樋の部分拡大正面図、図３は軒樋の正面図、図４は前記軒樋を屋根に設置したところを示す断面図である。なお、図４においては図面を見やすくするために、野地板や屋根材等の構成部材には断面を示すハッチングを省略して記載している。
【００１３】
この軒樋１は、長尺の軒樋部材２を有し、断面が等辺山型形状の鋼製アングル材が使用されている。軒樋部材２は、頂部を下方に向け、谷状に屋根に配設されて用いられる。軒樋１を設ける屋根の大きさにもよるが、例示の形態では長さが約３〜４ｍで形成されている。
【００１４】
軒樋部材２の両端部には、水滴ガイドロッド３が垂下添設されている。水滴ガイドロッド３は、軒樋部材２から地上に向かって雨水等を伝わせ、排水を促すものであり、例示の形態では鉤型に屈曲形成されている。この水滴ガイドロッド３は、軒樋部材２の両端部において、谷部の下側に溶接等により一体に接合されている。
【００１５】
また、軒樋部材２の一方の側面外側には、複数本の支持腕材４が均等間隔で、部材に直交する方向に設けられている。支持腕材４は、板状の鋼材で形成されている。隣接する支持腕材４同士の間隔Ａは、この軒樋１が屋根８の垂木８１に取り付けられるので、垂木８１の間隔に合わせて決められている。この支持腕材４の先端部は、軒樋部材２との接続角度に合わせて一部切り欠かれて軒樋部材２の支持基部４１とされ、支持基部４１の上面が軒樋部材２の側面に一体に溶接されている。また、支持腕材４のほぼ中央部と後端寄りの二箇所には、屋根８への止め付け用の止着孔４２がそれぞれ設けられている。
【００１６】
例示の形態では、かかる構成の軒樋１を、屋根緑化がなされる四阿（あずまや）の勾配屋根８の軒先に設けている。図示するように屋根８の上には、土壌を支持する枠体８２が設けられ、この枠体８２内にブロック状に形成された多数個の土壌ユニット８３１を上下二層に敷設して植物栽培土壌８３が形成されている。これらの土壌ユニット８３１は枠体８２の内側に立設された係止部材８２１に支持されている。雨水や、土壌への灌水の余剰水は、植物栽培土壌８３の下端部から流出して屋根８表面を流れ、軒先から軒樋１へ流れ込む。軒樋１には、両端部方向に緩やかな水勾配が設けられているので、流れ込んだ水は両端部方向に排水されて、水滴ガイドロッド３を伝って流れ落ち、地上へ排水される。
【００１７】
このように、本発明に係る軒樋１によれば、軒樋部材２と支持腕材４とが一体に形成されて部品点数が少なく簡易な構造であるので、屋根への設置作業も少ない工程で容易に行うことができ、作業時間も短くて済み、作業性を高めることができる。また、軒樋部材２に例示したような鋼製アングル材を使用する場合、規制のアングル材を転用することができるので、製造コストを低減させつつ良好な軒樋を得ることができる。
【００１８】
次に、前記のように構成された軒樋１の施工方法について説明する。軒樋１は、屋根８の軒先に設置される際、まず始めに、複数本の支持腕材４のうち、軒樋部材２のほぼ中央に配設された支持腕材４が、屋根８の垂木８１の側面に止め付けられる。これにより軒樋部材２が自重によって両端部が下方へたわむので、このたわみを利用して軒樋部材２の中央から端部方向への水勾配とする。
【００１９】
次に、先に止め付けた支持腕材４に近い位置の支持腕材４から順に、前記の水勾配を維持した状態で垂木８１の側面に止め付ける。そして、最後に両端部の支持腕材４を垂木８１側面に止め付けると、屋根８の軒先に軒樋１を配設することができ、軒樋部材２には緩やかな水勾配が形成されることになる。
【００２０】
このような軒樋１の施工方法によれば、従来の軒樋施工のように、軒樋の水勾配に配慮しつつ軒樋部材の受金物を多数軒先に取着して、次にこれらの受金物に軒樋部材を配設していくという工程を踏む必要がなく、効率よく軒樋の設置作業を進めることができる。したがって、軒樋施工にかかる作業時間を短縮でき、コストの低減を図ることができる。
【産業上の利用可能性】
【００２１】
本発明に係る軒樋は、建築物の勾配屋根の軒先に設けて、雨水等の排水を円滑に行うのに利用することができる。
【図面の簡単な説明】
【００２２】
【図１】本発明に係る軒樋の側面図である。
【図２】本発明に係る軒樋の端部を示す正面図である。
【図３】本発明に係る軒樋の正面図である。
【図４】本発明の軒樋を屋根に設置したところを示す断面図である。
【符号の説明】
【００２３】
１      軒樋
２      軒樋部材
３      水滴ガイドロッド
４      支持腕材
４１    支持基部
４２    止着孔
８      屋根
８１    垂木
８２    枠体
８２１  係止部材
８３    植物栽培土壌
８３１  土壌ユニット
【図１】
2006207319.tif 000003
【図２】
2006207319.tif 000004
【図３】
2006207319.tif 000005
【図４】
2006207319.tif 000006